(57)【特許請求の範囲】
【請求項１】
観客の座る領域と、
観客の座る領域に向かい合ったスクリーンと、
上記スクリーンに画像を映写する映写装置と、
上記スクリーンに設けた第１の扉と、
上記スクリーンを昇降する手段であって、上記スクリーンが下降しているときに、上記第１の扉を観客から見えないようにできる、スクリーンを昇降する手段と、
上記第１の扉を自動的に開閉する手段と、
上記第１の扉を貫通する走路と、
上記走路に沿って移動可能な出し物とを備え、
上記映写装置は上記観客の座る領域によって上記スクリーンから離されており、上記観客の座る領域は複数の座席を有する、劇場。
【請求項２】
上記走路に沿って上記出し物を推進させるために上記出し物に設けたモータとを備えた請求項１の劇場。
【請求項３】
上記出し物は乗り物である請求項１の劇場。
【請求項４】
上記スクリーンに設けた第２の扉を有し、上記走路は上記第２の扉を貫通して伸びており、上記走路は連続した環状ループである請求項１の劇場。
【請求項５】
上記乗り物はカム板を備えており、上記第１及び第２の扉の各々は、上記カム版により操作され、上記第１又は第２の扉を開放する機械的な自動扉開閉装置を備えている請求項３の劇場。
【請求項６】
上記観客の座る領域と上記スクリーンとの間に前部ステージ領域を有し、上記走路は上記第１の扉から上記前部ステージ領域を通り上記第２の扉に伸びている請求項４の劇場。
【請求項７】
上記観客の座る領域と上記スクリーンとの間に設けた前部ステージ領域と、上記スクリーンによって上記前部ステージ領域から分離された後部ステージ領域とを有し、上記環状ループは上記前部ステージ領域に前部分を有し、上記後部ステージ領域に後部分を有する請求項５の劇場。
【請求項８】
上記映写装置と上記扉を開閉するための手段とに接続された制御装置を有し、上記第１の扉を開放する時間は、上記映写装置が映写する映像画面が終了する時間と対応するように、上記映写装置と接続する制御部が検出する請求項１の劇場。
【請求項９】
上記制御装置は、上記走路上の上記乗り物７０の位置を検出をするために、上記走路に沿って複数の場所に配置されている走路センサ４０と、特別効果発生装置と、照明装置とに接続しており、上記特別効果発生装置と、上記照明装置は、上記走路上の上記乗り物７０の位置に基づいて開始される請求項８の劇場。
【請求項１０】
上記制御装置は、上記走路上の上記乗り物７０の位置を検出をするために、上記走路に沿って複数の場所に配置されている走路センサ４０と、上記スクリーンを昇降する手段とに接続しており、上記スクリーンを昇降する手段は上記走路センサ４０の１つによって起動され、上記スクリーンを上昇する請求項９の劇場。
【請求項１１】
上記モータを駆動するために上記走路に沿って配置されたバスバーと、
上記モータを駆動するために、上記出し物に設けた電池を有する請求項２の劇場。
【請求項１２】
上記扉に隣接して配置された特別効果発生装置を有する請求項１の劇場。
【請求項１３】
隠し扉を備える映写スクリーンを貫通して伸びる走路に出し物を載せる工程と、
上記隠し扉が観客から見えない状態で上記映写スクリーンにフィルムを映写する工程と、
上記フィルム映写中、第１の所定時間に、所定の高さまで上記映写スクリーンを上昇する工程と、
上記フィルム映写中、第２の所定時間に、上記映写スクリーンの隠し扉を自動的に開く工程と、
上記映写スクリーンの開放された上記扉を介して、上記走路上の上記出し物を駆動する工程と、
上記映写スクリーンの上記扉を自動的に閉じる工程と、
上記出し物が上記映写スクリーンから隠れると、上記隠し扉が観客から見えない状態となる上記映写スクリーンを初期位置に下降する工程とを有する、フィルムからライブへの移行を擬態する方法。
【請求項１４】
上記映写スクリーンにフィルムを映写する工程は、上記映写スクリーンに三次元映像を映写する請求項１３の方法。
【発明の詳細な説明】
発明の背景
本発明は、生の演技を見せる劇場（ライブアクション劇場）とフィルム映写（フィルムプレゼンテーション）とを組み合わせた娯楽用のアトラクション又は劇場に関する。
ライブアクションショー、フィルム映写および特別効果をもった娯楽用アトラクションが知られている。一般に、劇場に座った観客は、フィルム映写と共に、俳優、機械的な出し物、離れ技（曲乗り）、特別効果を含むライブアクションショー（生の演技）を見るものである。フィルム映写自体は、三次元画像、音と振動効果等の特別効果を用いている。これらの効果により、観客は、スクリーン上のアクションに加わっているような感覚が高まる。
この種の劇場は、俳優又は呼び物が映写された像からステージ上に実際に現れるようにしたフィルムからライブ（フィルム−アクション）への移り変わり効果を持たせることができる。過去において、フィルムからアクションへの移り変わりは、スクリーンのスリット状開口部から表れるようにすることで行なわれていた。その他の技術は、複数の開口部を有する弾性材料からなるスクリーンに依存していた。これらの開口部は引き伸ばして開放され、これにより俳優がその開口部を通過し、その後で該開口部を瞬時に閉じることができる。当然、フィルムからアクションへの移り変わりを実物そっくりに見せるために、すなわち、スクリーンに映写された登場物をステージ上で本物のように見せるために、フィルムからアクションへの移り変わりは、スムーズにかつタイミングを合わせる共に調和をとって適正に行なわれなければならない。確かに、フィルムからアクションへの移り変わりそのものは、その移り変わりによって観客が混乱しないように、観客に気付かれないようにすべきで、それにより観客は魅力的な劇場経験を得ることができる。
発明の概要
以上のことから、本発明の劇場は、観客用座席領域に向かうスクリーンを備えている。スクリーンの扉は、フィルム映写中の予め決められた時間に開閉するのが好ましい。走路は、スクリーン背後の後部ステージから上記スクリーンの扉を通り、前部ステージ領域に伸びている。出し物（例えば乗り物）が走路に沿って移動可能としてある。好適な実施形態では、フィルム映写中の予め決められた時間に、スクリーンの扉が開き、出し物が扉を通過する。これにより、スクリーン上に映し出されたフィルム映像のアクション像が、スクリーンの前で現実のアクション像に変化する。扉の開放と該扉を通過する出し物の通過は、特別効果（霧、煙の発生装置）を用いて部分的に隠すのが好ましい。出し物には、走路に沿って該出し物を推進するためのモータを設けるのが好ましい。好適な実施形態では、走路は、スクリーンの扉から、前部ステージ領域を回り、スクリーンに設けた別の扉を介して、後部ステージ領域に戻る環状トラックとするのが好ましい。
スクリーンは、出し物が扉を通過する準備の整うまで、扉が観客から見えないようにするために、昇降できるようにしてもよい。ショー制御装置又はコンピュータは、フィルム映写装置と、スクリーンを昇降したり扉を開閉する装置に接続されている。そのため、スクリーン、扉、出し物の動作が調和し、正しくタイミングをとることができる。
【図面の簡単な説明】
本発明の他の目的および特徴は、本発明の実施形態を示す添付図面を参照し、以下の詳細な説明より明らかである。しかし、図面は説明のためのものであって、本発明を限定するものでない。
図面において、同一の符号は同一の構成要素を示す。
図１は、本発明に係る劇場の平面図である。
図２は、図１の走路と動画に出てくる機械的な出し物の側面図である。
図３は、図２の線３−３に沿った端面図である。
図４は、機械的な出し物の拡大側面図である。
図５は、図１に示すスクリーンの背面図である。
図６は、スクリーンの平面図である。
図７は、スクリーンの正面図である。
図８は、走路カバーの斜視図である。
好適な実施形態の詳細な説明
図面を参照して本発明を詳細に説明する。図１において、劇場１０は座席領域１２を有する。座席領域１２は、複数列の座席１５を有する。座席はスクリーンに対向している。劇場１０の後部に向けて設けた１台又は複数台のプロジェクタ（映写装置）１６は、スクリーン１４に画像を映写する。スクリーン１４の背後にある後部ステージ領域１８は、座席領域１２から見ることができない。前部ステージ領域２０は座席領域１２とスクリーン１４との間に位置している。
スクリーン領域１４には、略中央部に配置された出口扉用開口部２４と、入口扉用開口部２６とを設けるのが好ましい。連続した環状ループの走路（トラック）２２は出口扉２４とスクリーン１３を通り、前部ステージ領域２０を回り、入口扉２６を介して後部ステージ領域１８に伸びている。
図２において、走路２２は、劇場の床又は基礎構造３０上で、複数の構造柱３２に支持されている。図３に示すように、走路２２はＣ形フレーム３４を有し、このフレーム３４に上部レール３６と下部レール３８が支持されている。
図４において、出し物又は乗物キャリッジ４４は、キャリッジフレーム４６を有し、このキャリッジフレーム４６に前部主ピン（キングピン）４８と後部主ピン５０が回転自在に取り付けてある。前部支持ホイール（前部支持輪）５２と後部支持ホイール５４は、前部と後部の主ピン４８と５０にそれぞれ回転自在に設けてある。支持ホイール５２と５４は、走路２２の下部レール３８に載るキャリッジ４４の重量を支持する。対向する複数組の下横部従動ホイール５６は、前部と後部の支持ホイール５２，５４の両側に間隔をあけて配置されており、支持ホイールを下部レール３８の中央に保っている。
図４において、キャリッジ４４に設けた電動モータ５８は後部支持ホイール５４をベルト駆動装置６０を介して回転する。モータ５８は、キャリッジ４４に設けた電池６２により駆動される。これに代えて、モータ５８は、走路２２の側部に沿って伸びるバスバー（電力供給用の棒）を通じて駆動してもよい。前部と後部の主ピン４８と５０の上方に設けた、対向する複数組の上部従動ホイール６４は、キャリッジ４４が走路２２に沿って移動する間、このキャリッジ４４を垂直状態に保持する。
単車７０などの出し物は、関節で連結されたキャリッジ４４から上方に伸びるアーム７２に取り付けられている。前部ホイール７８は、前部ホイール７８のハブに設けた前部電動モータ８０により駆動される。単車７０は、左右の後部ホイール用ディスクファサード（facade）を有する後部ホイール７４を有する。これらのファサードは、チェーンと、単車のトランスミッションボックスの空間に配置された後部ホイール電動モータ６６とによって駆動される。ファサードは実際の単車用後部ホイールの外観を形成している。キャリッジ４４と単車７０が走路２２に沿って移動するとき、単車はそのホイールに乗っているように見える。モータ６６と８０は、キャリッジ４４の動きに応じて、後部ホイールファサードと前部ホイール８０を回転するように制御され、本物の単車のように見せる。
キャリッジ４４は、前輪を上げて後輪だけで走らせたり、前後に傾けたり、左右に傾けたりして単車７０を動かすためにアクチュエータを有し、そのために後部支持ホイール５４を駆動する電動モータ５８によって単車が走路に沿って推進すると、単車は本物の単車が動くように動作する。前輪を上げて後輪だけで走らせたり、前後に傾けたり、左右に傾けたりするためのアクチュエータとしては、ＤＣサーボ電動リニアアクチュエータ、一般のＤＣサーボアクチュエータが好ましい。アクチュエータにおける駆動負荷を減少するために、力の釣り合い装置が用いられている。アクチュエータは、座席領域１２から見えないように隠されている。
アーム７２は、前輪を上げて後輪だけで走らせたり、前後に傾けたり、左右に傾けたりするために、軸受に支持された軸上で、キャリッジ４４に取り付けてある。
前部と後部の支持ホイール５２と５４、並びに上部と下部の側部従動ホイール５６と６４は、上部と下部のレール３６と３８に調和して載る形と大きさにしてある。これらのホイールは、ポリウレタンであるのが好ましい。アーム７２はキャリッジ４４から後部ホイールの中間固定部を介して伸びており、単車のシャシー７５に連結され、後部ホイール用ディスクファサードにより座席領域１２から見えないようにしてある。
カムプレート８２は単車のシャシー７５から外側に伸び、後に示すように、安全カム操作用扉開放装置を動作するようにしてある。
図５において、スクリーン１４は、座席領域１２の反対側に向けて配置されたスクリーン構造１０２に支持されている。スクリーン昇降装置１０４は、ワイヤロープ１０６とプーリ１０８からなる装置を有する。アクチュエータコラム１１６の中には直線アクチュエータ１１０がワイヤロープ１０６に取り付けてある。このアクチュエータは、スクリーン１４を上昇位置１１２と下降位置１１４との間で素早く移動するように制御できる。
図７において、スクリーン１４の出口開口部２４と入口開口部２６は、扉用走路レール１２６に沿って垂直方向にスライド自在なパネル型扉１２０である。パネル１２０は、プーリ１２４に巻回されたケーブル１２４を介してパネル１２０に連結された電動式または流体式（空圧式、油圧式）のアクチュエータにより開閉される。パネル１２０、アクチュエータ１２２、プーリ１２５、及び扉用従動レール１２６はすべて、スクリーン構造１０２に支持されており、このスクリーン構造１０２と共に上昇及び下降する。パネル１２０は、頑丈なフレームが構成されており、スクリーン１４に用いられる材料と同一の材料で覆われている。
最初、扉２４と２６は、前部ステージ２０の高さ以下に配置される。スクリーン１４が上昇すると扉２４と２６が露出する。フィルム上映中の所定時間に扉が開放し、機械的な出し物（例えば、単車７０）がステージに出入りできる。
図１において、トラックセンサ（走路センサ）４０は、走路上の単車７０の位置を検出をするために、走路に沿って複数の場所に配置されている。センサ４０は、スクリーン１４の上昇及び下降を制御し、アクチュエータ１２２を制御して扉２４と２６を開放及び閉鎖するために、主制御部４２に制御されている。走路センサ４０は、磁界検出型センサが好ましい。単車７０が走路センサ４０を通過すると、キャリッジ４４に設けた活性部により磁界が遮られる。様々な照明又は特別効果も主制御部４２によって制御され、単車の通過を検出する一つ又は複数の走路センサ４４に基づいて開始される。
図８において、複数のセグメント１３５からなる走路溝カバー１３０が前部ステージ２０の床に据え付けてあり、走路２２と不使用の走路溝が覆われている。走路溝カバー１３０は、前部ステージ床と同一の材料又は覆いで覆われている。このように、走路は実質的に観客から見えないようにしてある。演技（ショー）の間、走路溝カバー１３０は、ねじジャッキ１３７、ギヤボックス１３２、モータ１３４によって下降し、単車７０とキャリッジ４４の通過する通路が開放される。単車７０とキャリッジ４４が各走路溝カバーセグメント１３５で覆われた走路部分を通過した後、走路溝カバー１３０のセグメントは再び上昇してトラックを座席領域の観客から見えないように隠す。これに代えて、すべてのセグメントが同時に動くようにしてもよい。
走路溝カバー１３０のセグメント１３５は前部ステージ２０上に設けてあり、座席領域１２から通常は見える走路の２２のすべての部分を覆っている。走路カバーの複数のセグメントは順次操作され、接近する単車の前で下降し、単車が通過すると直後に上昇してもよい。または、複数のセグメントは同時に動作し、すべてのセグメントを一緒に上昇及び下降してもよい。図８に示すカバーセグメントは、約７フィートの長さを有する。使用するカバーセグメントの数は、前部ステージの走路２２の全長に応じて異なる。
実際の演技（ショー）の間、観客は観客座席領域１２に座っている。実演俳優は、ショーのうちで劇場で行うライブアクションを前部ステージの上で始める。ショーの実演中に、劇場１０では、例えば霧のような種々の特別効果、音響効果、又は特別照明が利用される。実演中の所定時間にフィルム映写が開始される。フィルム映写は、当業界で知られているように、三次元（３−Ｄ）であるのが好ましく、観客は３−Ｄのフィルム効果を体感するために、特別な眼鏡が与えられる。２つの映写装置がスクリーンに３−Ｄの画像が映写される。
特別な映像を連続的に映している間、俳優が単車に乗る。
当然、単車に代えて、画像を映写している間、任意の乗物又は他の出し物を利用してもよい。スクリーン面に向かって俳優と単車が映像上に乗るように、単車とライダーは映写スクリーン１４の背後でステージ台２８の後部ステージ１８上に配置され、フィルム映写からライブアクションに移るために準備する。
映像場面にタイミングを合わせて走路センサ４０の一つによって起動され、映写スクリーン１４がスクリーン昇降装置１０４で上昇される。この時点で、単車７０とライダーが、モータ６６を用いてキャリッジ４４を加速することで、映写スクリーン１４上で出口扉２４に向けて送り出される。主制御部はアクチュエータ１２２により扉２４のパネル１２０を開放する。扉２４は、単車７０とライダーが前部ステージ２０に移動するまで開放されている。この移り変わりは、ちょうど映像画面が終了する時間に行われる。この時間は、映写装置との接続を介して主制御部によって検出される。スクリーンの前にある霧効果発生器３５により、扉２４を介して単車とライダーが前部ステージ２０に登場する場面が隠される。
単車とライダーがステージに現れると、扉２４が閉じ、映写スクリーンが通常位置に降りる。この物理的な移動は４秒以下である。好適な実施形態では、スクリーンは、１秒間に約７フィート昇降する。扉パネル１２０は、約０．５秒間に開閉する（約７フィート開放される。）観衆は、フィルム映写からライブアクション（生の演技）に移り変わったことに気づく。
その移り変わり後、単車とライダーは、走路２２に沿って前部ステージ２０を移動する。その他の演技者は生の演技を続ける。走路溝カバー１３０の各セグメントが下降して道を開け、それにより単車とライダーが通過して行き、その後、再び走路を隠すために上昇する。代わりに、すべてのセグメントは、単車が接近すると同時に下降し、単車が前部ステージを過ぎ去った後で同時に上昇してもよい。
キャリッジ４４と単車７０が前部ステージ２０を移動する際に、単車７０は減速し、パワーを切り替え（後部を振り）、そして加速する。前部ステージ２０上の走路２２は複数の場所で高さが変化しており、それは階段や急斜面のように見える。キャリッジ４４の昇降軸アクチュエータは、後部ホイール７４を通過して伸びる水平軸を中心として単車７０を昇降し、これにより単車は急に跳ね上がって前輪を上げて後輪だけで走る。同時に、後部ホイールのファサードが加速し、前輪を上げて後輪だけで走る曲乗り又は単車の後部を左右に振る動作の際に、後部タイヤが焼ける状態を演出する。
単車が入口扉２６に接近すると、単車とライダーは、生の演技から映像（ライブ−フィルム）への移行の準備をする。映写スクリーンが昇降装置１０４により再び上昇する。単車とライダーは、映写スクリーンに向かって傾斜路を登る。入口扉が開放され、単車とライダーがスクリーンを通過する。同時に、単車に乗った演技者が映写スクリーンに現れて、フィルム映写が続けられる。観衆は、ライブアクションからフィルム映写への移り変わりに気づく。特別な霧効果は、単車とライダーがステージから扉２４を通り抜けて行くのを効果的に隠す。単車とライダーが後部ステージに移動すると、入口扉が閉まり、スクリーンが通常の位置に下降する。ライブアクションからフィルム映写への移り変わりは４秒以内に行われる。後部ステージで、単車はプラットフォームに止まり、次の演技のために再設定される。
キャリッジ４４、単車７０、出口扉２４と入口扉２６、およびスクリーン１４の動きは、主制御部によってすべて時間的に合わされて制御される。予備装置として、機械的な補助自動扉開閉装置が出口扉２４と入口扉２６に設けられ、これは単車７０のカム板８２で操作される。制御上又は電気的な故障が生じた場合、スクリーン昇降装置１０４は自動的にスクリーン１４を上昇位置に持ち上げる。カム板の機械的動作が機械的な扉開閉装置に係り合い、スクリーン１４の扉を開放する。
特定の実施形態を図面を参照して明細書で詳細に説明したが、本発明は種々改変可能である。しかし、本発明は、上述した特定の形態及び方法に限定されるものでなく、請求の範囲の思想に含まれるすべての変形例、同等例、および代替例を含むものである。
【図１】
0004259623.tif 000002
【図２】
0004259623.tif 000003
【図３】
0004259623.tif 000004
【図４】
0004259623.tif 000005
【図５】
0004259623.tif 000006
【図６】
0004259623.tif 000007
【図７】
0004259623.tif 000008
【図８】
0004259623.tif 000009